(57)【特許請求の範囲】
【請求項１】
本体部（１）と、本体部（１）に設けたグリップ電極（５１・５２）と、本体部（１）に設けた肌用電極（５３）と、これらの電極（５１〜５３）に電流を供給する電流調整回路を含む美容器具であって、  肌用電極（５３）に、綿棒（５４）の軸部（５６）を受入れ、綿球部（５５）が外面に露出する状態で綿棒（５４）を保持する綿棒保持部（６６）が設けられており、  電流調整回路を含む制御回路を実装した回路基板（１９）を、肌用電極（５３）から離れた本体部（１）の内部に配置しており、 電流調整回路から供給される正極電流および負極電流のいずれか一方が、接続端子（８１）を介して接続端子（８３）と肌用電極（５３）に供給され、他方が接続端子（８０）を介して接続端子（８２）とグリップ電極（５２）に供給されており、 本体部（１）が、一端に肌用電極（５３）が配置される第１ケース（６）と、電池（７）および回路基板（１９）を収容する第２ケース（７）とで構成されており、 第１ケース（６）と第２ケース（７）とが、互いに抜差し着脱できるように構成されており、 第１ケース（６）と第２ケース（７）の対向端壁のそれぞれに、第１ケース（６）側の接続端子（８２・８３）と第２ケース（７）側の接続端子（８０・８１）とが対向する状態で設けられており、 第２ケース（７）を第１ケース（６）の内部に差込み装着した状態において、接続端子（８０）が接続端子（８２）と接触するとともに接続端子（８１）が接続端子（８３）と接触することで、それぞれの接続端子（８０〜８３）が電気的に導通されることを特徴とする美容器具。
【発明の詳細な説明】
【技術分野】
【０００１】
本発明は、肌面の細部の汚れを落とし、あるいは肌面の細部の状態を整えて美容効果を高めることができる美容器具に関する。
【背景技術】
【０００２】
本発明に係る美容器具に関して、特許文献１のマッサージ器が公知である。そこでは、本体部の一端のヘッド部にマッサージ用のヘッドキャップが設けてある。ヘッドキャップの端面の５個所には、綿棒の綿球部がねじ込み装着してあり、本体部に設けたハンドグリップを片手で握り、水を含浸した状態の綿球部を肌面にあてがうことにより、肌面に低周波パルス電流を作用させて肌面の状態を整えることができる。ヘッド部の内部には、振動発生装置が配置してあり、低周波パルス電流による刺激と同時に、振動刺激を肌面に加えてマッサージを行なうことができる。振動発生装置は、偏心重りと、偏心重りを回転駆動するモーターとで構成してある。
【０００３】
上記のように、肌面に低周波パルス刺激と振動刺激を与える美容器具は、特許文献２にも開示されている。そこでは、装置本体の一端に設けた２個のパルス伝達素子に水分を含ませた綿棒の綿球部が差込み装着してあり、肌面にあてがった綿球部で低周波パルス刺激を与えている。また、特許文献１の美容器具と同様に、本体部に設けた偏心重りで振動を発生して、低周波パルス刺激と振動刺激を肌面に加えている。２個のパルス伝達素子のうちの一方は陽極に、他方は陰極になっており、これらのパルス伝達素子に装着した綿球部で低周波パルス刺激を与える。なお、低周波パルス刺激は、一対の綿球部で挟まれた肌面に作用する。また、低周波パルス刺激を受けた肌面が収縮したのち弛緩する期間に偏心重りを作動させて、筋肉の弛緩動作に同期して振動刺激を与えている。
【先行技術文献】
【特許文献】
【０００４】
【特許文献１】特許第３７４４６６２号公報（段落番号００１３、図３）
【特許文献２】特許第３７３６０２３号公報（段落番号００３７、図４）
【発明の概要】
【発明が解決しようとする課題】
【０００５】
特許文献１の美容器具は、ヘッドホルダー、ハンドグリップ、グリップエンドなどからなる本体部と制御部とがケーブルを介して接続されているため、持ち運ぶ際に不便な構造となっている。
【０００６】
特許文献２の美容器具においても、刺激プローブと装置本体とが４芯ケーブルを介して接続されているため、特許文献１と同じく持ち運ぶ際に不便な構造となっている。
【０００７】
本発明の目的は、制御回路を実装した回路基板を本体部の内部に配置して持ち運びを容易にするとともに、本体部に収容される回路基板に美容用液が容易に到達するのを極力避けられるようにした美容器具を提供することにある。
【課題を解決するための手段】
【０００８】
本発明に係る美容器具は、本体部１と、本体部１に設けたグリップ電極５１・５２と、本体部１に設けた肌用電極５３と、これらの電極５１〜５３に電流を供給する電流調整回路を含む。肌用電極５３に、綿棒５４の軸部５６を受入れ、綿球部５５が外面に露出する状態で綿棒５４を保持する綿棒保持部６６を設ける。電流調整回路を含む制御回路を実装した回路基板１９を、肌用電極５３から離れた本体部１の内部に配置している。ここで、「肌用電極５３から離れた本体部１」とは、具体的には、回路基板１９が、肌用電極５３から本体部１の軸方向における中央線Ｌを基準として反対側に位置することを意味する。本発明における電流調整回路とは、パルス電流を生成し供給する回路はもちろんであるが、直流電源と、同電源に直列に接続されて、グリップ電極５１・５２および肌用電極５４に対する給電状態をオン・オフする回路スイッチを含む概念である。
【０００９】
肌用電極５３寄りの本体部１の外面に設けたグリップ電極５２が、本体部１の外面の周回方向に配置される周回電極５２ａと、周回電極５２ａに連続して本体部１の長手方向に延びる軸方向電極５２ｂとで構成している。「肌用電極５３寄りの本体部１の外面に設けたグリップ電極５２」とは、具体的には、グリップ電極５２が肌用電極５３から本体部１の軸方向の中央線Ｌを基準として肌用電極５３側に配置することを意味する。
【００１０】
肌用電極５３寄りの本体部１の外面にグリップ電極５２が配置され、肌用電極５３から離れた本体部１の外面に別のグリップ電極５１が配置している。ここでも、「肌用電極５３寄りの本体部１の外面にグリップ電極５２が配置」とは、具体的には、グリップ電極５２が肌用電極５３から本体部１の軸方向の中央線Ｌを基準として肌用電極５３側に配置することを意味する。また「肌用電極５３から離れた本体部１の外面に別のグリップ電極５１が配置」とは、具体的には、別のグリップ電極５１が、肌用電極５３から本体部１の軸方向における中央線Ｌを基準として反対側に位置することを意味する。
【００１１】
電流調整回路から供給される正極電流および負極電流のいずれか一方が、接続端子８１を介して接続端子８３と肌用電極５３に供給され、他方が接続端子８０を介して接続端子８２とグリップ電極５２に供給されている。本体部１が、一端に肌用電極５３が配置される第１ケース６と、電池７および回路基板１９を収容する第２ケース７とで構成されている。第１ケース６と第２ケース７とが、互いに抜差し着脱できるように構成されており、  第１ケース６と第２ケース７の対向端壁のそれぞれに、第１ケース６側の接続端子８２・８３と第２ケース７側の接続端子８０・８１とが対向する状態で設けられている。第２ケース７を第１ケース６の内部に差込み装着した状態において、接続端子８０が接続端子８２と接触するとともに接続端子８１が接続端子８３と接触することで、それぞれの接続端子８０〜８３が電気的に導通される。
【発明の効果】
【００１２】
本発明の美容器具においては、肌用電極５３に設けた綿棒保持部６６で綿棒５４を着脱可能に固定保持した。また、綿棒５４を綿棒保持部６６に装着した状態において、綿棒５４の軸部５６を綿棒保持部６６の内部に受入れた状態で、綿球部５５の大半の部分を肌用電極５３の外面に露出させるようにした。このように、綿棒５４を肌用電極５３に装着する美容器具によれば、肌用電極５３に邪魔されることも無く、小鼻の周辺部や唇の肌面など、面積が小さな肌面の状態を緻密にしかもピンポイント状に整えることができる。また、肌面の微細な汚れを落とすことができるので、全体として美容効果を高めることができる。綿棒５４の軸部５６を綿棒保持部６６の内部に受入れた状態で綿棒５４を支持するので綿棒５４を安定した状態で支持できる。
【００１３】
美容用液が回路基板１９に付着すると、制御回路等が短絡して機器故障に陥る虞れがある。こうした機器故障の原因である回路等の短絡を確実に防ぐために、肌用電極５３から離れた本体部１の内部に回路基板１９を配置して、万一、肌用電極５３から流下した美容用液が本体部１の内部に入込んだ場合でも、美容用液が回路基板１９に到達するのを極力避けられるようにしている。
【００１４】
肌用電極５３側のグリップ電極５２を、周回電極５２ａと軸方向電極５２ｂとで構成すると、本体部１を片手で保持するときの保持姿勢を多様化して、美容器具の使い勝手を向上できる。例えば、周回電極５２ａを複数の指で摘むようにして本体部１を保持し、あるいは図１６に示すように、人指し指を軸方向電極５２ｂに接触させて、本体部１を鉛筆を握るのと同様に握り保持した状態で美容器具を使用できる。とくに、本体部１を鉛筆を握るのと同様に握り保持した状態で美容器具を使用する場合には、綿棒５４の動きを微細にコントロールできるので、小鼻の周辺部や唇の肌面など肌面の状態を的確に整えることができる。周回電極５２ａおよび軸方向電極５２ｂをデザイン要素として取込むことにより、美容器具の外観を興趣に富むものとすることができる。
【００１５】
肌用電極５３の近傍の本体部１の外面にグリップ電極５２を配置し、さらに、肌用電極５３から離れた本体部１の外面に別のグリップ電極５１を配置すると、美容器具を使用するときの本体部１の握り形態を多様化できる。詳しくは、先に説明したように、鉛筆を握るようにして本体部１を握り、グリップ電極５２に指先を接触させた状態で使用できる。また本体部１の周面を片手で掴むようにして握って、手の肌面を肌用電極５３から遠い側のグリップ電極５１に接触させて使用することができる。このように、手入れすべき肌面部位の違いに応じて本体部１の持ち位置を自由に変更することができるので、美容器具の使い勝手をさらに向上できる。
【００１６】
抜差し着脱可能な第１ケース６と第２ケース７の対向端壁のそれぞれに、対応する接続端子８０〜８３を配置すると、第２ケース７を第１ケース６に単に差込み装着するだけで、対応する接続端子８０〜８３どうしを確実に導通させ、その状態を維持できる。
【図面の簡単な説明】
【００１７】
【図１】本発明に係る美容器具の下半部の縦断正面図である。
【図２】美容器具の正面図である。
【図３】美容器具の側面図である。
【図４】本体部の構成部材を分離した状態で示す一部破断側面図である。
【図５】本体ケースの分解斜視図である。
【図６】加熱ヘッドとその支持構造を示す分解断面図である。
【図７】加熱ヘッドの縦断側面図である。
【図８】美容器具の上半部の縦断正面図である。
【図９】イオンクレンジング装置の縦断側面図である。
【図１０】イオンクレンジング装置の分解断面図である。
【図１１】美容器具における配電構造を示す説明図である。
【図１２】図２におけるＡ−Ａ線断面図である。
【図１３】保持ケースの組付け途中状態を示す縦断正面図である。
【図１４】下キャップの綿棒切断構造を示す図３におけるＢ−Ｂ線断面図である。
【図１５】下キャップによる綿棒の切断作用を示す説明図である。
【図１６】美容器具の使用状態説明図である。
【図１７】加熱ヘッドによる化粧料の展伸作用を示す説明図である。
【図１８】肌用電極の別の実施例を示す縦断面図である。
【図１９】肌用電極のさらに別の実施例を示す縦断面図である。
【図２０】肌用電極のさらに別の実施例を示す縦断面図である。
【図２１】肌用電極のさらに別の実施例を示す縦断面図である。
【発明を実施するための形態】
【００１８】
（実施例）  図１ないし図１７は、本発明に係る美容器具の実施例を示す。なお、本発明における前後、左右、上下とは、図２および図３に示す交差矢印と、各矢印の近傍に表記した前後、左右、上下の表示に従う。図２において、美容器具は、上下方向に長い長軸状（スティック状）の本体部１と、本体部１の上端から上向きに突出する状態で設けた加熱ヘッド２と、本体部１の下端に設けたイオンクレンジング装置と、加熱ヘッド２およびイオンクレンジング装置の外面を覆う第１キャップ４（図３参照）および第２キャップ５などで構成してある。第１キャップ４は、後述する第２ケース７に着脱可能に装着してあり、第２キャップ５は、後述する底蓋８に対して着脱可能に装着してある。
【００１９】
（本体部の構造）
図２〜図６に本体部１の詳細構造を示している。本体部１は、グリップを兼ねる上下方向に長い長軸状の第１ケース６と、第１ケース６に組付けられる上下方向に長い長軸状の第２ケース７と、第１ケース６の下側に配置される底蓋８などで構成してあり、第２ケース７の上端に先の加熱ヘッド２が組付けてある。本体部１の内部には、加熱ヘッド２を加熱する面状発熱体（熱源）１１と、面状発熱体１１及び後述する電極５１〜５３に対して制御回路を介して駆動電流を供給する電池（電源部）１２が収容してある。この実施例では、第２ケース７に電池１２と面状発熱体１１を配置するようにした。また、第１ケース６の上端に臨んで、美容器具の運転状態を切換えて、電池１２の給電状態を制御するスイッチボタン（スイッチ操作具）１３を設けるようにした。第１ケース６と第２ケース７とは、互いに抜差しすることにより着脱できる。
【００２０】
図５に示すように、第１ケース６は、丸筒状の内ケース１５と、内ケース１５を収容する透明な四角筒状の外ケース１６とで二重筒状に形成してあり、両ケース１５・１６の間の隙間に装飾シート（装飾体）１７が収容してある。このように、外ケース１６の内部に装飾シート１７を配置すると、外ケース１６を介して装飾シート１７を視認する際に、外ケース１６の透明感によって装飾シート１７の呈色状態を深みのあるものとすることができ、第１ケース６の外観を高級感に富むものとすることができる。また、模様や呈色状態が異なる複数の装飾シート１７を用意しておくことにより、装飾シート１７の種類数の分だけ美容器具の外観上のバリエーションを拡大できる。なお、装飾シート１７を省く代わりに、内ケース１５の外面、あるいは外ケース１６の内面のいずれかに塗装等により装飾面（装飾体）を形成することができる。その場合にも、上記と同様に、外ケース１６を介して装飾面を視認する際に、外ケース１６の透明感によって装飾面の呈色状態を深みのあるものとすることができる。
【００２１】
図６に示すように、第２ケース７は、前ケース７ａと後ケース７ｂとを蓋併せ状に接合して構成してあり、その上半部分を丸筒状に形成して、面状発熱体１１、スイッチボタン１３、および回路基板１９などを収容する制御区画２０が設けてある。回路基板１９は、前ケース７ａと後ケース７ｂの接合面の間に挟持固定してある。前ケース７ａの下半部には電池ホルダー２１が一体に設けてあり、第２ケース７を第１ケース６から抜外した状態において、電池１２を電池ホルダー２１に着脱することができる。回路基板１９には、加熱ヘッド２およびイオンクレンジング装置に対する給電状態を制御する制御回路が実装されており、さらに、スイッチボタン１３で切換え操作されるスイッチ素子２２が実装してある。上記のように、スイッチボタン１３および回路基板１９は、後述する肌用電極５３から離れた本体部１の内部の制御区画２０内に収容してある。ここで、「肌用電極５３から離れた本体部１」とは、具体的には、スイッチボタン１３および回路基板１９が、肌用電極５３から本体部１の軸方向（上下方向）における中央線Ｌを基準に反対側に位置することを意味する。
【００２２】
スイッチボタン１３の上縁および下縁に隣接して、イオンクレンジング装置用の第１通電表示部と、加熱ヘッド用の第２通電表示部とが設けてある。図８に示すように、第１通電表示部および第２通電表示部は、それぞれ回路基板１９に設けた第１光源（ＬＥＤ）２３および第２光源（ＬＥＤ）２４と、各光源２３・２４に対応して設けられる第１導光体２６および第２導光体２７とで構成してある。第１光源２３および第２光源２４は、先のスイッチ素子２２の上下に実装されて、第１導光体２６および第２導光体２７の内端と正対している。第１導光体２６と第２導光体２７とは、透明なプラスチック材で一体に成形されて、１個のレンズユニット２５として構成してある。レンズユニット２５は、第２ケース７の制御区画２０の下部前面に組付けてあり、同ユニット２５と前ケース７ａとが協同してスイッチボタン１３を出没自在に案内している。符号２８はスイッチボタン１３を外向きに押出し付勢する圧縮コイル形のばねである。
【００２３】
スイッチボタン１３をばね２８に抗して１回押込み操作すると、スイッチ素子２２がオン状態になり、このオン信号を受けた制御回路がイオンクレンジング装置に電池１２の電力を供給する。同時に下側の第１光源２３が点灯して第１通電表示部を発光表示させ、美容器具の運転状態が、イオンクレンジングのための第１モードになっていることを第１導光体２６を介して表示する。スイッチボタン１３をもう一度押込み操作すると、スイッチ素子２２のオン信号を受けた制御回路が、イオンクレンジング装置への給電を停止し、面状発熱体１１に電池１２の電力を供給する。同時に上側の第２光源２４が点灯して、第２通電表示部を発光表示させ、美容器具の運転状態が、マーサージと化粧料の展伸のための第２モードになっていることを第２導光体２７を介して表示する。さらに、スイッチボタン１３を押込み操作すると、スイッチ素子２２のオン信号を受けた制御回路が、全ての給電路を遮断して電力の供給を停止して待機状態になる。
【００２４】
（加熱ヘッドの構造）
図７、図８に加熱ヘッド２の詳細構造を示している。加熱ヘッド２は、アルミニウム製の丸棒に旋削加工と研削加工とを施して上下に長い軸状体に形成してあり、その上半部に伝熱部３０が形成され、その下端にフランジ状の受熱部３１が形成してある。伝熱部３０は、その上端に設けた半球状のマッサージ面３２と、マッサージ面３２の下側に連続する断面円形の肌摺接面３３とで砲弾状に形成してある。また、伝熱部３０と受熱部３１との間には、加熱ヘッド２を第２ケース７に装着するための装着軸３４が丸軸状に形成してある。肌摺接面３３は、リップクリームなどを唇表面に塗伸ばす展伸面として機能し、さらに唇をマッサージするためのマッサージ面として機能する。
【００２５】
加熱ヘッド２の内部には、後述する温度センサー４１を収容するための中空部３５が下向きに開口する状態で形成してあり、中空部３５の開口縁の周囲に、面状発熱体１１の熱を受継ぐリング状の受熱部３１が張出してある。このように、受熱部３１から伝熱部３０に至る加熱ヘッド２の全体を筒状に形成すると、中空部３５の容積の分だけ伝熱部３０の体積を小さくできるので、面状発熱体１１から受熱部３１に伝えられた熱を、速やかに伝熱部３０へ伝導することができる。先の装着軸３４を前後ケース７ａ・７ｂの対向面に設けた軸受部３６で軸支することにより、加熱ヘッド２は第２ケース７で回転自在に支持される。つまり、加熱ヘッド２は本体部１で回転自在に支持されている。前後ケース７ａ・７ｂに設けた軸受部３６は、隙間を介して上下に隣接する上下２段の半円状のフランジ壁３６ａで構成してある（図７参照）。
【００２６】
図６に示すように、面状発熱体１１は、絶縁性のベースフィルム１１ａの上面にヒーター線１１ｂをつづら折り状に配置し、その上面を絶縁性の保護フィルム１１ｃで覆ったフィルムヒーターからなる。ベースフィルム１１ａの周縁の２個所には電極３８が設けてある。両フィルム１１ａ・１１ｂの中央に装着穴３９を形成することにより、面状発熱体１１はリング状に形成されている。ヒーター線１１ｂはステンレス製の板材にエッチング加工を施して形成されており、リング状のベースフィルム１１ａの全面にわたってつづら折り状に連続し、高密度に配置した状態で形成してある。面状発熱体１１のリング径は、受熱部３１のリング径と概ね一致させてあるので、面状発熱体１１で発生した熱を、受熱部３１へ向かってむらのない状態で放射して、加熱ヘッド２を効果的に加熱することができる。
【００２７】
面状発熱体１１と、後述する温度センサー４１とを支持するために、加熱ヘッド２の内部に加熱部ホルダー４０が配置してある。図７において、加熱部ホルダー４０は、面状発熱体１１を支持する皿状のベース部４３と、ベース部４３から上向きに突設される筒壁４４とを一体に備えており、ベース部４３の周囲壁を前後ケース７ａ・７ｂで挟持することにより、第２ケース７に固定してある。ベース部４３に装着した面状発熱体１１は、中央の装着穴３９が筒壁４４の基端部に外嵌して径方向へ移動不能に支持されており、さらに、面状発熱体１１の上面が加熱ヘッド２の受熱部３１と小さな隙間Ｅを介して上下に対向している。具体的には、面状発熱体１１の全厚寸法が０．５〜０．６ｍｍであるとき、面状発熱体１１の上面と受熱部３１との間の隙間Ｅの寸法が０．１２〜０．２ｍｍになるようにした。なお、加熱ヘッド２は本体部１に対して回転不能に固定することができるが、その場合には、面状発熱体１１を受熱部３１に密着させることにより、熱伝導効率を向上することができる。
【００２８】
上記のように、面状発熱体１１と受熱部３１とを小さな隙間Ｅを介して正対させると、面状発熱体１１から受熱部３１への熱移動を効果的に行ないながら、面状発熱体１１の熱が周囲に放散されるのを皿状のベース部４３で防止できる。また、加熱ヘッド２が本体部１の中心軸の周りに回転するとき、面状発熱体１１が受熱部３１と擦れ合うのを避けて、加熱ヘッド２の回転動作を円滑化でき、加えて、面状発熱体１１が受熱部３１で擦られて発熱機能が損なわれるのを避けることができる。さらに、面状発熱体１１を加熱部ホルダー４０に固定するので、面状発熱体１１が加熱ヘッド２に設けてある場合に比べて、面状発熱体１１の電気的な接点構造を簡素化できる。
【００２９】
温度センサー４１は、チップ状のＮＴＣサーミスタからなり、加熱部ホルダー４０の筒壁４４の上端の上面、つまり中空部３５の内奥に配置されて、加熱ヘッド２の伝熱部３０の温度状態を検知する。温度センサー４１のセンサーリード４５は、筒壁４４の内部空間を利用して制御区画２０側へ導出されて回路基板１９に接続してある。制御回路は温度センサー４１の検知信号を受けて面状発熱体１１の発熱状態を制御し、マッサージ面３２および肌摺接面３３の表面温度を４３℃に保持する。センサーリード４５は筒壁４４で常に保護されているので、本体部１に大きな衝撃が作用するような場合でも、センサーリード４５が断線することはない。なお、温度センサー４１は、筒壁４４の上端の上面から僅かに浮き離れた状態で支持してあってもよい。伝熱部３０の表面温度を４３℃に保持するのは、化粧料のパラフィン成分を確実に軟化できるようにしながら、加熱ヘッド２の熱で唇の肌面が低温やけどになるのを防止するためである。
【００３０】
（イオンクレンジング装置の構造）
図１、図３、および図９〜図１３にイオンクレンジング装置の詳細構造を示している。図３において、イオンクレンジング装置は、第１ケース６の上下に設けられる２個のグリップ電極５１・５２と、底蓋８の下面中央に設けられる独楽形状の肌用電極５３と、これらの電極５１〜５３にパルス電流を供給する電流調整回路などで構成してある。電流調整回路は回路基板１９に設けた制御回路の一部を構成している。電源となる電池１２から制御回路に供給された直流電流は、電流調整回路にてパルス電流に変換されたうえで電極５１〜５３に駆動電流として供給される。肌用電極５３に美容用液が含浸された綿棒（美容液含浸体）５４を装着すると、肌用電極５３と綿棒５４とが導通した状態になるので、綿棒５４の綿球部５５を肌面に接触させて払拭することにより、イオン導出作用あるいはイオン導入作用によって肌面を整えることができる。図３において符号５６は綿棒５４の軸部である。
【００３１】
第１ケース６の上下端には、それぞれ四角枠状の上エンドキャップ５８および下エンドキャップ５９が係合装着してあり、これらのエンドキャップ５８・５９の表面全体に金属めっきを施すことによりグリップ電極５１・５２が形成してある。上エンドキャップ５８は、基本的に上下面が開口する四角枠状に形成するが、その前壁はレンズユニット２５を組むために切欠いてある（図６参照）。そのため上側のグリップ電極５１は、本体部１の外面の周方向に連続する、横断面がＣ字状の周回電極５１ａで構成されることになる。上エンドキャップ５８は第２ケース７の電池ホルダー２１の上側部分に係合装着してある。
【００３２】
下エンドキャップ５９は上下面が開口する四角枠状に形成され、その後面の左右中央に上向きの電極片６０が突設してある。そのため、下側のグリップ電極５２は、本体部１の外面の周方向に連続する横断面が八角形状の周回電極５２ａと、周回電極５２ａに連続して本体部１の長手方向に延びる電極片６０に形成される軸方向電極５２ｂとで構成される。軸方向電極５２ｂは、周回電極５２ａと、周回電極５２ａから離れた本体部１の長手方向の中途部との間に形成してある。詳しくは、軸方向電極５２ｂの上端が、第１ケース６の上下方向の中央部より下側に位置させてある。このように、軸方向電極５２ｂを上側のグリップ電極５１へ向かって延出すると、図１６に示すように、第１ケース６を片手で鉛筆を握るようにして確りと保持した状態において、人指し指を軸方向電極５２ｂに接触させて、グリップ電極５２を人体に導通できる。下エンドキャップ５９は内ケース１５の下部に凹凸係合構造６１を介して係合装着してある（図９参照）。肌用電極５３寄りの本体部１の外面にグリップ電極５２が配置され、肌用電極５３から離れた本体部１の外面に別のグリップ電極５１が配置している。「肌用電極５３寄りの本体部１の外面にグリップ電極５２が配置」とは、具体的には、グリップ電極５２が肌用電極５３から本体部１の軸方向の中央線Ｌを基準として肌用電極５３側に配置することを意味する。「肌用電極５３から離れた本体部１の外面に別のグリップ電極５１が配置」とは、具体的には、別のグリップ電極５１が、肌用電極５３から本体部１の軸方向（上下方向）における中央線Ｌを基準として反対側に位置することを意味する。
【００３３】
下エンドキャップ５９の下面中央には、ねじボス６２が設けてあり、ねじボス６２と、その下面に接合した底蓋８とをビス６３で締結することにより、底蓋８が下エンドキャップ５９に固定してある。図９に示すように、下エンドキャップ５９を内ケース１５の下部に係合装着した状態においては、下エンドキャップ５９に設けた係合腕９１が、電池ホルダー２１の下部の係合片９２と係合している。
【００３４】
肌用電極５３は、第１ホルダー６４と、第１ホルダー６４を内面側から支持する第２ホルダー６５とで構成してあり、両ホルダー６４・６５に綿棒５４を保持する綿棒保持部６６が設けてある。第１ホルダー６４の全体は導電性のゴムを素材にして形成してあり、第２ホルダー６５に外嵌するキャップ壁６７を有し、その中央に綿棒５４を差込むための装着穴６８と、すり鉢状の受座６９とが形成してある。装着穴６８と受座６９の周囲を囲む挟持壁７０で、綿棒５４の綿球部５５と軸部５６の周面を弾性的に挟持固定することができる。綿棒保持部６６は、装着穴６８と、受座６９と、挟持壁７０および、第２ホルダー６５に設けた保持穴７５で構成される。
【００３５】
第２ホルダー６５は、保持軸部７３とフランジ部７４とを一体に備えたステンレス製の旋削品からなり、保持軸部７３の中央に綿棒５４の軸部５６を受入れる保持穴７５が有底穴状に形成してある。第２ホルダー６５の保持軸部７３に外嵌した第１ホルダー６４の装着状態を保持するために、キャップ壁６７の内面に係合リブ７１を形成し、これを保持軸部７３の周面に形成した係合溝７２に係合させている。第２ホルダー６５は、底蓋８と、底蓋８の下面に固定した蓋体（蓋壁）７６とで挟持固定してある。
【００３６】
第２ホルダー６５に設けた保持穴７５は、有底穴として形成してある。そのため、綿棒５４から軸部５６を伝って流れ落ちる美容用液の全てを保持穴７５で受止めて穴内に貯留できる。従って、余分な美容用液が本体部１の内部に入込んで、内部回路がショートするのを確実に防止できる。図９に示すように、保持穴７５の直径Ｄ１は、装着穴６８の直径Ｄ２より大きく設定してある。また、装着穴６８の直径Ｄ２は綿棒５４の軸部５６の直径より小さく設定してある。図１に示すように、綿棒５４を綿棒保持部６６に差込み装着した状態では、綿棒５４の軸部５６が保持穴７５に収容され、綿棒５４の綿球部５５と軸部５６の周面を挟持壁７０で弾性的に挟持固定して、綿球部５５の大半の部分が第１ホルダー６４の外面に露出する状態となる。このように、綿棒５４を綿棒保持部６６に差込み装着する際には、軸部５６が装着穴６８に対して圧入されて挟持壁７０を弾性変形させる。また、図９に示すように、第１ホルダー６４の装着穴６８の穴長さＨ１よりも第２ホルダー６５の保持穴７５の穴長さＨ２を長く設定することにより、綿棒５４の軸部５６が過度に支持されて綿棒５４の着脱がし難くなる事態を防止できる。なお、保持穴７５の穴径Ｄ１を、装着穴６８の穴径Ｄ２と同じ径に設定して、保持穴７５部分についても軸部５６を圧入ぎみに受け入れる構造としてもよい。
【００３７】
上下のグリップ電極５１・５２、および肌用電極５３のそれぞれにパルス電流を供給する給電構造を図１１に示している。給電構造は、上側のグリップ電極５１の内面のめっき層に接触する第１接続端子７９と、電池ホルダー２１の外面の左右に配置される第２接続端子（接続端子）８０、および第３接続端子（接続端子）８１を備えている。さらに給電構造は、下エンドキャップ５９のねじボス６２にビス６３で共締め固定される第４接続端子（接続端子）８２と、底蓋８で上下スライド自在に案内されるピン状の第５接続端子（接続端子）８３と、同端子８３を押上げ付勢する金属製のばね８４などで構成してある。ばね８４の下端は第２ホルダー６５で受止められている。
【００３８】
図６に示すように、第１接続端子７９は後ケース７ｂに装着されて、回路基板１９に対してリード線を介して接続してある。また、第２接続端子８０と第３接続端子８１は、図１２に示すように電池ホルダー２１の左右壁に固定されて、回路基板１９に対してリード線を介して接続してある。同様に、電池１２用の正極端子８５と負極端子８６は、電池ホルダー２１の定位置に固定されて、リード線を介して回路基板１９に接続してある
【００３９】
下エンドキャップ５９を内ケース１５に係合し、さらに第２ケース７を内ケース１５に差込み係合すると、図１に示すように、グリップ電極５２と導通する第４接続端子８２が第２接続端子８０に密着し、さらに第２ホルダー６５を介して肌用電極５３と導通する第５接続端子８３が、第３接続端子８１に密着する。従って、回路基板１９に実装した制御回路から供給されるパルス電流を、上下のグリップ電極５１・５２、および肌用電極５３にそれぞれ供給することができる。上記のように、第１ケース６側の第４、第５の両接続端子８２・８３と、第２ケース７側の第２、第３の両接続端子８０・８１とを、第１ケース６と第２ケース７の対向端壁のそれぞれに互いに対向する状態で設けると、第２ケース７を内ケース１５に単に差込み係合するだけで、対応する接続端子８０〜８３どうしを確実に密着させて導通できる。
【００４０】
後述するように、イオンクレンジング作業を行うときには、綿棒５４に美容用液を含浸させた状態で肌面や唇のケアを行う。そのため、美容用液の含浸量が多いと、綿球部５５から滴り落ちた美容用液が肌用電極５３の表面を伝って蓋体７６へと流動する。このように、過剰な美容用液が蓋体７６と保持軸部７３の隣接隙間から本体部１の内部に入り込むのを防ぐために、肌用電極５３の本体部１側の端部周面、つまり蓋体７６との隣接端に溝部８８を形成し、さらに溝部８８に臨む蓋体７６の表面に液受凹部８９を周回状に形成している（図９参照）。溝部８８は、肌用電極５３を第２ホルダー６５から取外すときの、指先を引っ掛けるための指掛部としても機能している。
【００４１】
（綿棒の切断構造）
図１に示すように、綿棒５４はその軸部５６を所定の長さに切断した状態で使用するが、軸部５６の切断をユーザー自身で簡便に行えるようにするために、第２キャップ５に綿棒を切断するための構造を設けている。図１４および図１５において、綿棒の切断構造は、第２キャップ５の底壁の隅部寄りに設けた綿棒装填穴９５と、この装填穴９５に臨んで第２キャップ５の周囲壁から連出した１対の棒受壁９６とで構成する。綿棒装填穴９５は、綿球部５５を差込むための不完全円状の丸穴９７と、丸穴９７に連続して隅部へ延びる角穴９８とで鍵穴形に形成してある。棒受壁９６は角穴９８の対向縁に沿って形成してあり、その上端から装填穴９５の下開口までの長さが、肌用電極５３の受座６９から保持穴７５の内奥端までの長さに一致させてある。また、１対の棒受壁９６の対向間隔が、受座６９と装填穴６８との隣接部分の直径寸法と一致させてある。
【００４２】
綿棒５４を切断する場合には、図１５（ａ）に示すように、綿球部５５を第２キャップ５の下面側から綿棒装填穴９５の丸穴９７に差込み、綿棒５４の全体を角穴９８側へ移動させて綿球部５５を第２キャップ５の隅壁に接当させる。この状態で、綿棒５４から指先を離すと、図１５（ｂ）に示すように、綿球部５５の基端部が棒受壁９６で受止められて綿棒５４が宙吊り状態となる。次に、図１５（ａ）に示すように、綿球部５５を第２キャップ５の隅部に押えつけて固定したのち、図１５（ｂ）に示すように、軸部５６を棒受壁９６の厚み方向へ折り曲げて余分な軸部５６を切断することにより、適正な長さに切断された綿棒５４を得ることができる。従って、ユーザーは、衛生的な状態で保管しておいた綿棒５４を、イオンクレンジング作業を行う直前に切断して、清潔な状態で使用することができる。
【００４３】
イオンクレンジング作業を行ったのちの綿棒５４は、肌用電極５３から取外して廃棄する。しかし、綿棒５４を肌用電極５３に装着した状態のままで、第２キャップ５が底蓋８に装着されてしまうと、雑菌が繁殖し、あるいは綿球部５５に付着した皮脂が腐敗するなど、非衛生的な状態になってしまう。こうした事態を確実に防止し、肌用電極５３を常に衛生的な状態に保持するために、図１３に示すように、第２キャップ５の内法上下寸法を、下エンドキャップ５９の下端面から肌用電極５３の下端面までの上下寸法より僅かに大きくなるように設定している。換言すると、第２キャップ５を下エンドキャップ５９に装着した状態において、第２キャップ５で覆われるキャップ内空間を想定するとき、第１ホルダー６４に装着した状態における綿棒５４の外郭線が、先のキャップ内空間の外に突出するように、第２キャップ５の大きさを設定している。こうした第２キャップ５によれば、肌用電極５３の綿棒５４を差込んだ状態のままでは、綿棒５４が邪魔になって第２キャップ５を底蓋８に係合することができなくなる。従って、ユーザーの注意を喚起して、使用後の綿棒５４は廃棄する必要があることを物理的に明確に知らせて、美容器具の適正な使用を促すことができる。
【００４４】
（美容器具の使用法）
使用時には、図１６に示すように、綿棒５４の軸部５６を肌用電極５３の装着穴６８に圧入して保持し、綿球部５５を受座６９で受止めた状態で綿棒５４の全体を支持する。この装着状態において、美容用液が含浸された綿球部５５は受座６９に密着して肌用電極５３と電気的に導通している。綿棒５４が傾いた状態で装着穴６８に差込み装着された場合でも、軸部５６の下端を保持穴７５の内周面で支持することができるので、綿棒５４が大きく傾いた状態で装着されるのを防いで、綿棒５４を安定した状態で支持できる。使用途中に軸部５６が折れた場合でも、折れた軸部分は直径が大きな保持穴７５内に保持されるだけであるため、第１ホルダー６４を第２ホルダー６５から取外すだけで、折れた軸部部分を簡単に排出することができる。
【００４５】
綿棒５４を肌用電極５３に装着した後、綿球部５５に化粧水などの美容用液を含浸させ、スイッチボタン１３をオン操作して、美容器具をイオンクレンジングを行うための第１モードに切換える。この状態で、図１６に示すように本体部１を手で握って、人指し指を下側のグリップ電極５２の軸方向電極５２ｂに接触させた状態で、鏡を見ながら綿球部５５を小鼻の周辺部や唇の肌面などに接触させて上下、あるいは左右に滑らせて肌面を整える。
【００４６】
このとき、綿球部５５が装着された肌用電極５３はプラスの極性に、グリップ電極５１・５２はマイナスの極性になっており、人体を介して両電極間に導通する微弱な電流によってイオン導出作用を発揮できる。このとき、唇の肌面には綿棒５４を介して電流が供給されるので、肌面に作用する電流を弱めることができ、従って角質層が薄い唇の負担を軽減できる。以上のようにしてクレンジングを行うことにより、肌面の皺や襞部などに入込んでいた汚れを綿球部５５に吸着させて、肌面を清潔な状態に保持できる。また、唇の肌面に化粧水をしみ込ませて、肌面を湿潤で弾力のある状態に保持できる。充分に払拭しきれていない口紅が残っていた場合でも、残留する口紅を確実に除去して、口紅による色素の沈着を防止できる。綿棒５４を使用してクレンジングを行うので、唇の縦皺や肌面のめくれなどの肌荒れが激しい部分に対して集中的にマッサージ刺激を与え、あるいは綿棒５４に含浸させた美容用液を縦皺に対してピンポイント状にしみ込ませるなど、微妙な操作を行なって、肌面の微細な汚れを落とし、あるいは肌面の状態を整えて美容効果を高めることができる
【００４７】
加熱ヘッド２は、例えば唇などの面積が小さな肌面の手入を行う場合に使用する。加熱ヘッド２を使用する場合には、イオンクレンジングを終了した後に、スイッチボタン１３ボタンを再度オン操作して、マーサージと化粧料の展伸に適した第２モードに切換えて、加熱ヘッド２が適温になるまでの時間（約３０秒）を利用して、唇にリップクリームをたっぷりと塗布する。次に、加熱ヘッド２が唇と正対するように本体部１を持った状態で、加熱ヘッド２の肌摺接面３３を唇の表面に接触させて、唇の中央から側端へ向かって加熱ヘッド２を繰返し転動させてリップクリームを塗伸ばす。このとき、加熱ヘッド２から伝動される熱によって、リップクリームに含まれるパラフィン油脂類やワックス類が軟化して液状化するため、図１７に示すように、唇に縦皺が形成されていたとしても、皺の内部にまでリップクリームを染込ませることができる。また、加熱ヘッド２を転動させながらリップクリームを肌摺接面３３で塗伸ばすので、常に新規な肌摺接面３３で唇の肌面を加熱でき、従ってリップクリームを効果的に展伸することができる。このとき、肌摺接面３３に接触する唇に、摺擦作用による動的な刺激と温熱を与えられるため、血行の促進効果を発揮することができる。
【００４８】
上記のように、リップクリームを唇の肌面に沿って均等に塗伸ばした後に、マッサージ面３２を唇の表面にあてがって円を描くようにして、温熱を加えながら唇全体のマッサージを行う。さらに、唇の輪郭線に沿って円を描くようにマッサージ面３２を動かして、唇の輪郭部分のマッサージを行う。最後に、唇の周辺、あるいは唇の肌面に付着したリップクリームを軽くティッシュオフして唇のケアを終了する。唇のケアを行ったのちに口紅を塗布することにより、口紅の塗布状態を滑らかで潤いに富んだ状態に仕上げることができる。なお、ユーザーによっては、リップクリームを塗伸ばすためにマッサージ面３２を使用することが想定され、従ってマッサージ面３２と肌摺接面３３の機能の使い分けはユーザーの好みに委ねることとなる。
【００４９】
以上のように、本実施例に係る加熱ヘッド２によれば、リップクリームを唇の肌面に沿って塗伸ばした後に、加熱ヘッド２を唇の表面にあてがって、温熱を加えながら唇全体のマッサージを行うことにより、唇の状態を良好な状態に整えることができる。具体的には、唇の肌面がマッサージによって動的に刺激される効果と、温熱が加えられることによる皮膚細胞の活性化を促す効果とが得られるので、動的な刺激効果と活性効果との相乗効果で唇の血行を促進できる。これに伴い、唇の肌面の色合いを自然な状態に回復し、唇の表面状態を艶やかでふっくらとした状態に整えることができる。さらに、唇のケアを行ったのちに口紅を塗布することにより、口紅の塗布状態を滑らかで潤いに富んだ状態に仕上げることができる。短時間で唇のケアを行えるので、昼食後や退社前などの化粧直しなどの際にでも手軽に唇のケア行うことができる。
【００５０】
第１モードと第２モードを行うのには、少なからず時間を要するので、入浴後にスキンケアを行う場合など、時間的に余裕がある状態で行うとよい。食後や退社前などの化粧直しなどの際には、口紅をティシュペーパーで拭取った後、リップクリームを塗伸ばし、あるいは唇のマッサージを行った後、口紅を塗布すればよい。このように、上記構成の美容器具によれば、一連のメイク作業を短時間で行なうことができ、従って唇の肌面のケアをどこでも手軽に行える。さらに、出勤前のメイク時には、就寝前に塗布したリップクリームを軽くティッシュオフした後、再度リップクリームを塗布して第２モードでリップクリームを塗伸ばし、あるいは唇のマッサージを行って口紅を塗布すればよい。小鼻の回りの肌面を手入する場合にも、同様にして肌面を整えることができる。
【００５１】
上記構成の美容器具は以下の態様で実施することができる。
美容器具は、
肌用電極５３が導電体で形成されており、
肌用電極５３に設けた接続端子８３が電流調整回路と電気的に導通されており、
電流調整回路から供給される正極電流および負極電流のいずれか一方が、接続端子８１を介して接続端子８３と肌用電極５３に供給され、他方が接続端子８０を介して接続端子８２とグリップ電極５２に供給されており、
本体部１が、一端に肌用電極５３が配置される第１ケース６と、電池７および回路基板１９を収容する第２ケース７とで構成されており、
第１ケース６と第２ケース７とが、互いに抜差し着脱できるように構成されており、
第１ケース６と第２ケース７の対向端壁のそれぞれに、第１ケース６側の接続端子８２・８３と第２ケース７側の接続端子８０・８１とが対向する状態で設けられており、
第２ケース７を第１ケース６の内部に差込み装着した状態において、接続端子８０が接続端子８２と接触するとともに接続端子８１が接続端子８３と接触することで、それぞれの接続端子８０〜８３が電気的に導通されることを特徴とする。
抜差し着脱可能な第１ケース６と第２ケース７の対向端壁のそれぞれに、対応する接続端子８０〜８３を配置すると、第２ケース７を第１ケース６に単に差込み装着するだけで、対応する接続端子８０〜８３どうしを確実に導通させ、その状態を維持できる。また、第２ケース７を第１ケース６に差込む前に第１ケース６側の接続端子８２・８３の端子状態を確認しやすい。また、第１ケース６と第２ケース７の対向端壁のそれぞれに、対応する接続端子８０〜８３を配置するので、対応する接続端子８０〜８３どうしの接触の際、接続端子８０・８１の弾性力、或いは接続端子８２・８３の弾性力（本実施例では後者）による弾性反力を使用者の手が感じることで、接続が適正に行われていることを認識できる。また、第１ケース６から第２ケース７を抜き出す際に、先の弾性反力により第２ケース７が抜差し方向（軸方向）に浮き上がるため、両ケース６・７の着脱が容易となる。また、対応する接続端子８０〜８３を正対する状態で配置するので、美容器具が落下衝撃を受けるような場合でも、対応する接続端子８０〜８３どうしが分離して接触不良に陥るのを確実に防止して、美容器具の信頼性を向上できる。さらに本体部１の抜き差し方向（軸方向）と直交する方向の本体寸法をコンパクトに設定できる。
【００５２】
美容器具は、
本体部１と、本体部１に設けたグリップ電極５２と、本体部１に設けた肌用電極５３と、これらの電極５２・５３に電流を供給する電流調整回路を含む美容器具であって、
肌用電極５３に、綿棒５４の軸部５６を受入れ、綿球部５５が外面に露出する状態で綿棒５４を保持する綿棒保持部６６が設けられており、
電流調整回路を含む制御回路を実装した回路基板１９を、肌用電極５３から離れた本体部１の内部に配置しており、
肌用電極５３寄りの本体部１の外面にグリップ電極５２が設けられており、肌用電極５３から離れた本体部１の外面に、電極５２・５３への電流の供給を制御する  スイッチ操作具１３、つまり電極５２・５３への給電状態をオン・オフするスイッチ操作具１３が配置されていることを特徴とする。「肌用電極５３寄りの本体部１の外面にグリップ電極５２が設けられる」とは、具体的には、グリップ電極５２が肌用電極５３から本体部１の軸方向（上下方向）の中央線Ｌを基準として肌用電極５３側に配置することを意味し、「電流調整回路を含む制御回路を実装した回路基板１９を、肌用電極５３から離れた本体部１の内部に配置する」「肌用電極５３から離れた本体部１の外面に、電極５２・５３への電流の供給を制御（オン・オフ）するスイッチ操作具１３、つまり電極５２・５３への給電状態をオン・オフするスイッチ操作具１３が配置されている」とは、回路基板１９及びスイッチ操作具１３が、肌用電極５３から本体部１の軸方向（上下方向）の中央線Ｌを基準として反対側に位置することを意味する。
綿棒５４を肌用電極５３に装着する美容器具によれば、肌用電極５３に邪魔されることも無く、小鼻の周辺部や唇の肌面など、面積が小さな肌面の状態を緻密にしかもピンポイント状に整えることができる。また、肌面の微細な汚れを落とすことができるので、全体として美容効果を高めることができる。綿棒５４の軸部５６を綿棒保持部６６の内部に受入れた状態で綿棒５４を支持するので綿棒５４を安定した状態で支持できる。美容用液が回路基板１９に付着すると、制御回路等が短絡して機器故障に陥る虞れがある。こうした機器故障の原因である回路等の短絡を確実に防ぐために、肌用電極５３から離れた本体部１の内部に回路基板１９を配置して、万一、肌用電極５３から流下した美容用液が本体部１の内部に入込んだ場合でも、美容用液が回路基板１９に到達するのを極力避けられるようにしている。人指し指をグリップ電極５２に接触させて、本体部１を鉛筆を握るのと同様に握り保持した状態で美容器具を使用できる。とくに、本体部１を鉛筆を握るのと同様に握り保持した状態で美容器具を使用する場合には、綿棒５４の動きを微細にコントロールできるので、小鼻の周辺部や唇の肌面など肌面の状態を的確に整えることができる。周回電極５２ａおよび軸方向電極５２ｂをデザイン要素として取込むことにより、美容器具の外観を興趣に富むものとすることができる。さらに、肌用電極５３から離れた本体部１の外面にスイッチ操作具１３が配置されていると、美容器具の使用時に誤ってスイッチ操作具１３が切換え操作されるのを防止できる。また、美容用液でスイッチ操作具１３がべた付くのを防止できる。
【００５３】
図１８から図２１は、それぞれ肌用電極５３の別の実施例を示している。図１８に示す肌用電極５３は、第２ホルダー６５の保持軸部７３の周囲に雄ねじ１０１を形成し、第１ホルダー６４の内面に雌ねじ１０２を形成して、第１ホルダー６４を第２ホルダー６５に対してねじ込み装着できるようにした。この場合の第１ホルダー６４および第２ホルダー６５は、それぞれ剛体で形成するのが好ましく、例えば導電性樹脂あるいは金属を素材にして各ホルダー６４・６５を形成するとよい。両ホルダー６４・６５の形成素材の組み合わせてしては、導電性樹脂と金属、導電性樹脂と導電性樹脂、および金属と金属のいずれであってもよい。他は先の実施例と同じであるので、同じ部材に同じ符号を付してその説明を省略する。以下の実施例においても同じとする。
【００５４】
図１９に示す肌用電極５３では、第１ホルダー６４を半円筒状の一対の分割体６４ａ・６４ａで構成した。両分割体６４ａの内面には係合リブ７１が形成してあり、これらの係合リブ７１を第２ホルダー６５の係合溝７２に係合した状態で、第１ホルダー６４の周面に断面がＣ字状の保持リング１０４を装着することにより、第１ホルダー６４を第２ホルダー６５に固定できるようにした。この実施例における第１ホルダー６４は、保持リング１０４を取外して、一対の分割体６４ａ・６４ａを分離した状態で綿棒５４の着脱を行なうことができる。そのため、軸部５６の強度が小さい場合であっても、綿棒５４を適正な装着姿勢で第１ホルダー６４に取付けることができる。
【００５５】
図２０においては、第１ホルダー６４と、第２ホルダー６５と、第２ホルダー６５の突端に装着される第３ホルダー１０５との三者で肌用電極５３を構成するようにした。第１ホルダー６４は第２ホルダー６５に着脱でき、第１ホルダー６４を第２ホルダー６５から取り外した状態において、第３ホルダー１０５を第２ホルダー６５に着脱できる。第３ホルダー１０５は導電性のゴムを素材にして形成してあり、第２ホルダー６５に外嵌するキャップ壁１０６を有し、その中央に保持穴７５に連続する通口１０７が形成してある。また、第３ホルダー１０５の内面と、第２ホルダー６５の保持軸部７３の突端周面には、それぞれ係合リブ１０８と係合溝１０９が形成してあり、これら両者１０８・１０９が係合することで第３ホルダー１０５の装着状態を維持できる。この実施例における綿棒保持部６６は、装着穴６８と、受座６９と、挟持壁７０と、保持穴７５、および第３ホルダー１０５の通口１０７で構成される。
【００５６】
第３ホルダー１０５を第２ホルダー６５に装着した状態では、図１で説明した肌用電極５３と同様に綿棒５４を綿棒保持部６６できる。しかし、第３ホルダー１０５を取外した状態で綿棒５４を綿棒保持部６６に装着すると、第１ホルダー６４の内面に空間があるため、第１ホルダー６４が径方向へ弾性変形して、綿棒５４が傾動しやすくなる。そのため、第３ホルダー１０５を着脱することで、綿棒５４による肌面の押付け刺激を硬い状態と軟らかい状態とに異ならせることができる。通常の使用状態においては、第３ホルダー１０５を組込んだ硬い状態で使用する。このとき、綿棒５４の軸部５６の軸端寄りが短く折れたとしても、第１ホルダー６４と第３ホルダー１０５を取外すことにより保持穴７５を開放して、折れた軸部５６を簡単に取出すことができる。なお、第２ホルダー６５および第３ホルダー１０５における保持穴７５の直径Ｄ１は、第１ホルダー６４の装着穴６８の直径Ｄ２より大きく設定してある。
【００５７】
図２１においては、導電性を備えた第１ホルダー６４と、導電性を備えていない第２ホルダー６５とで肌用電極５３を構成し、底蓋８にボス１１１を一体に設けて、第１ホルダー６４を底蓋８（本体部１）に対して着脱できるようにした。そのために、ボス１１１の周面に係合溝７２を形成した。また、ボス１１１の基端部の周囲に液受凹部８９を形成した。第２ホルダー６５は、例えばプラスチック成形品で形成してあって、その突端面で第１ホルダー６４のキャップ壁６７の内面を支持している。この実施例では、電池１２の電流をスイッチ２２を介して第１ホルダー６４、およびグリップ電極５２に供給するようにした。この場合の電流調整回路は、電池（直流電源）１２と、電池１２に直列に接続したスイッチ２２などで構成される。
【００５８】
上記の実施例では、加熱部ホルダー４０と中空部３５の内周面とが、小さな隙間を介して内外に対向するようにしたが、加熱部ホルダー４０の筒壁４４の上端を中空部３５の内周面に密着させて、加熱ヘッド２を加熱部ホルダー４０で内側から支持することができる。その場合には、加熱ヘッド２に傾動モーメントが作用する際に、加熱ヘッド２を加熱部ホルダー４０で受け止めて、加熱ヘッド２の基部を支持するケース部分が傾動モーメントを受けて破損し、あるいは、加熱ヘッド２の受熱部３１と対向する熱源１１が、受熱部３１で圧潰されるのを良く防止できる。
【００５９】
上記の実施例以外に、熱源１１は第２ケース７の内面に張出した支持壁で固定支持することができる。また筒壁４４は、前ケース７ａあるいは後ケース７ｂと一体に形成することができる。電源部１２は２次電池を電源部１２とすることができる。スイッチ操作具１３は、押しボタン構造である必要はなく、スライドノブ構造であってもよい。本願発明の美容器具は、回路基板１９、電池１２などの電装部品を本体部１の内部に収容しているため、容易に持ち運ぶことが可能である。つまり本願発明の美容器具は、携帯可能な小型美容器具である。
【００６０】
上記の実施例では、本体部１の一端に加熱ヘッド２を設け、他端にイオンクレンジング装置を設けたが、本発明の美容器具は、少なくとも本体部１の一部にイオンクレンジング装置が設けてあれば足りる。加熱ヘッド２は、ステンレス、銅合金を素材にして形成することができる。また、使用時における加熱ヘッド２の加熱温度が充分に低いので、必要があればプラスチック成形品、あるいはガラス成形品などで加熱ヘッド２を構成することができる。肌用電極５３は、必要があれば金属、あるいは金属めっきで被覆されたプラスチック材で形成することができる。
【符号の説明】
【００６１】
１    本体部
１９  回路基板
５１  グリップ電極
５２  グリップ電極
５３  肌用電極
５４  綿棒
５５  綿球部
５６  軸部
６４  第１ホルダー
６５  第２ホルダー
６６  綿棒保持部
６８  装着穴
６９  受座
７０  挟持壁
【図１】
0005922445.tif 000002
【図２】
0005922445.tif 000003
【図３】
0005922445.tif 000004
【図４】
0005922445.tif 000005
【図５】
0005922445.tif 000006
【図６】
0005922445.tif 000007
【図７】
0005922445.tif 000008
【図８】
0005922445.tif 000009
【図９】
0005922445.tif 000010
【図１０】
0005922445.tif 000011
【図１１】
0005922445.tif 000012
【図１２】
0005922445.tif 000013
【図１３】
0005922445.tif 000014
【図１４】
0005922445.tif 000015
【図１５】
0005922445.tif 000016
【図１６】
0005922445.tif 000017
【図１７】
0005922445.tif 000018
【図１８】
0005922445.tif 000019
【図１９】
0005922445.tif 000020
【図２０】
0005922445.tif 000021
【図２１】
0005922445.tif 000022